【手続補正書】
【提出日】平成27年2月25日(2015.2.25)
【手続補正１】
【補正対象書類名】特許請求の範囲
【補正対象項目名】全文
【補正方法】変更
【補正の内容】
【特許請求の範囲】
【請求項１】
光源から出射された光束を測定光と参照光に分割し、測定光束を被検眼眼底に導き，参照光を参照光学系に導いた後、被検眼眼底から反射された測定光と参照光との干渉状態を検出器により検出する干渉光学系と、
を備え、前記検出器からの出力信号に基づいて被検眼眼底の断層画像を撮像する眼底撮影装置であって、
被検眼眼底に対する合焦位置を検出するためのフォーカス検出手段と、前記測定光の光路中に配置された第１光学部材を駆動させる第１駆動手段とを備え、前記フォーカス検出手段によって検出された合焦位置に前記第１光学部材を移動させるフォーカス調整手段と、
測定光と参照光との光路長差を調整するために測定光又は参照光の光路中に配置された第２光学部材を駆動させる第２駆動手段を有し、前記フォーカス検出手段の作動と並行して、前記検出器から出力される出力信号に基づいて被検眼断層像が取得される位置に前記第２光学部材を移動させる光路長調整手段と、
を備えることを特徴とする眼底撮影装置。
【請求項２】
請求項１の眼底撮影装置において、
前記フォーカス検出手段は、被検眼眼底に照明光を照射する照射光学系と、眼底反射光を受光素子により受光する受光光学系と、前記受光光学系に配置された第３光学部材を駆動させる第３駆動手段と、を有し、前記受光素子からの出力信号に基づいて被検眼眼底の正面眼底画像を得る眼底観察光学系を兼用し、前記第３駆動手段の駆動を制御して前記第３光学部材を移動させ、前記第３光学部材の各位置にて取得された正面眼底画像に基づいて被検眼眼底に対する前記合焦位置を検出することを特徴とする眼底撮影装置。
【請求項３】
請求項１又は２の眼底撮影装置において、
前記光路長調整手段は、前記フォーカス検出手段の作動と並行して、前記検出器から出力される出力信号に基づいて被検眼断層像が取得される位置に前記第２光学部材を移動させ、前記フォーカス調整手段によって前記第１光学部材が前記合焦位置に移動された後、前記検出器から出力される出力信号に基づいて前記第２光学部材の位置を再調整することを特徴とする眼底撮影装置。
【請求項４】
光源から出射された光束を測定光と参照光に分割し、測定光束を被検眼眼底に導き，参照光を参照光学系に導いた後、被検眼眼底から反射された測定光と参照光との干渉状態を検出器により検出する干渉光学系と、
を備え、前記検出器からの出力信号に基づいて被検眼眼底の断層画像を撮像する眼底撮影装置であって、
被検眼眼底に対する合焦位置を検出するためのフォーカス検出手段と、前記測定光の光路中に配置された第１光学部材を駆動させる第１駆動手段と、を備え、前記フォーカス検出手段によって検出された合焦位置に前記第１光学部材を移動させるフォーカス調整手段と、
測定光と参照光との光路長差を調整するために測定光又は参照光の光路中に配置された第２光学部材を駆動させる第２駆動手段を有し、前記フォーカス検出手段の作動と並行して、前記検出器から出力される出力信号に基づいて被検眼断層像が取得される位置に前記第２光学部材を移動させる第１光路長調整手段と、
前記フォーカス調整手段によるフォーカス調整と、前記第１光路長調整手段による光路長調整と、の双方の調整が完了したことを検出する検出手段と、
前記検出手段によって、フォーカス調整及び光路長調整の双方の調整が完了したことを検出した場合に、前記検出器から出力される出力信号に基づいて前記第２光学部材の位置を再調整する第２光路長調整手段と、
を備えることを特徴とする眼底撮影装置。
【請求項５】
光源から出射された光束を測定光と参照光に分割し、測定光束を被検眼眼底に導き，参照光を参照光学系に導いた後、被検眼眼底から反射された測定光と参照光との干渉状態を検出器により検出する干渉光学系と、
被検眼眼底に照明光を照射する照射光学系と、眼底反射光を受光素子により受光する受光光学系と、前記受光光学系に配置された第３光学部材を駆動させる第３駆動手段と、を有し、前記受光素子からの出力信号に基づいて被検眼眼底の正面眼底画像を得る眼底観察光学系と、
を備え、前記検出器からの出力信号に基づいて被検眼眼底の断層画像を撮像する眼底撮影装置であって、
前記第３駆動手段の駆動を制御して前記第３光学部材を合焦位置に移動させ、眼底観察光学系のフォーカスを調整する第１フォーカス調整手段と、
前記測定光の光路中に配置された第１光学部材を駆動させる第１駆動手段を有し、合焦位置に前記第１光学部材を移動させ、前記干渉光学系のフォーカスを調整する第２フォーカス調整手段と、
前記第１フォーカス調整手段と、前記第２フォーカス調整手段と、の作動を並行して実施することを特徴とする眼底撮影装置。
【手続補正２】
【補正対象書類名】明細書
【補正対象項目名】０００８
【補正方法】変更
【補正の内容】
【０００８】
（１）  本開示の第１態様に係る眼底撮影装置は、光源から出射された光束を測定光と参照光に分割し、測定光束を被検眼眼底に導き，参照光を参照光学系に導いた後、被検眼眼底から反射された測定光と参照光との干渉状態を検出器により検出する干渉光学系と、を備え、前記検出器からの出力信号に基づいて被検眼眼底の断層画像を撮像する眼底撮影装置であって、被検眼眼底に対する合焦位置を検出するためのフォーカス検出手段と、前記測定光の光路中に配置された第１光学部材を駆動させる第１駆動手段とを備え、前記フォーカス検出手段によって検出された合焦位置に前記第１光学部材を移動させるフォーカス調整手段と、測定光と参照光との光路長差を調整するために測定光又は参照光の光路中に配置された第２光学部材を駆動させる第２駆動手段を有し、前記フォーカス検出手段の作動と並行して、前記検出器から出力される出力信号に基づいて被検眼断層像が取得される位置に前記第２光学部材を移動させる光路長調整手段と、を備えることを特徴とする。
（２）  本開示の第２態様に係る眼底撮影装置は、光源から出射された光束を測定光と参照光に分割し、測定光束を被検眼眼底に導き，参照光を参照光学系に導いた後、被検眼眼底から反射された測定光と参照光との干渉状態を検出器により検出する干渉光学系と、を備え、前記検出器からの出力信号に基づいて被検眼眼底の断層画像を撮像する眼底撮影装置であって、被検眼眼底に対する合焦位置を検出するためのフォーカス検出手段と、前記測定光の光路中に配置された第１光学部材を駆動させる第１駆動手段と、を備え、前記フォーカス検出手段によって検出された合焦位置に前記第１光学部材を移動させるフォーカス調整手段と、測定光と参照光との光路長差を調整するために測定光又は参照光の光路中に配置された第２光学部材を駆動させる第２駆動手段を有し、前記フォーカス検出手段の作動と並行して、前記検出器から出力される出力信号に基づいて被検眼断層像が取得される位置に前記第２光学部材を移動させる第１光路長調整手段と、前記フォーカス調整手段によるフォーカス調整と、前記第１光路長調整手段による光路長調整と、の双方の調整が完了したことを検出する検出手段と、前記検出手段によって、フォーカス調整及び光路長調整の双方の調整が完了したことを検出した場合に、前記検出器から出力される出力信号に基づいて前記第２光学部材の位置を再調整する第２光路長調整手段と、を備えることを特徴とする。
（３）  本開示の第３態様に係る眼底撮影装置は、光源から出射された光束を測定光と参照光に分割し、測定光束を被検眼眼底に導き，参照光を参照光学系に導いた後、被検眼眼底から反射された測定光と参照光との干渉状態を検出器により検出する干渉光学系と、被検眼眼底に照明光を照射する照射光学系と、眼底反射光を受光素子により受光する受光光学系と、前記受光光学系に配置された第３光学部材を駆動させる第３駆動手段と、を有し、前記受光素子からの出力信号に基づいて被検眼眼底の正面眼底画像を得る眼底観察光学系と、を備え、前記検出器からの出力信号に基づいて被検眼眼底の断層画像を撮像する眼底撮影装置であって、前記第３駆動手段の駆動を制御して前記第３光学部材を合焦位置に移動させ、眼底観察光学系のフォーカスを調整する第１フォーカス調整手段と、前記測定光の光路中に配置された第１光学部材を駆動させる第１駆動手段を有し、合焦位置に前記第１光学部材を移動させ、前記干渉光学系のフォーカスを調整する第２フォーカス調整手段と、前記第１フォーカス調整手段と、前記第２フォーカス調整手段と、の作動を並行して実施することを特徴とする。